(57)【要約】【課題】量水標の清掃に掛かる負担を軽減する。【解決手段】水位４を計測する量水標５の水位表示方向に第１の索条８及び第２の索条９を延設し、量水標５の表示面に当接する清掃具本体１０を第１の索条８及び第２の索条９を介して上下方向移動自在に設け、清掃具本体１０に取り付けられ、清掃具本体１０に浮力を与えて水位に応じて清掃具本体１０と共に上下に移動する第１の浮き１１及び第２の浮き１２を設ける。【選択図】図２
2008000694.tif 000002
【特許請求の範囲】
【請求項１】
水位を計測する量水標の水位表示方向にガイド部材を延設し、前記量水標の表示面に当接する清掃具本体を前記ガイド部材を介して上下方向移動自在に設け、前記清掃具本体を上下方向に移動させる移動手段を設けたことを特徴とする清掃装置。
【請求項２】
請求項１に記載する清掃装置において、
前記移動手段は、前記清掃具本体に取り付けられ、当該清掃具本体に浮力を与えて水位に応じて当該清掃具本体と共に上下に移動する浮きであることを特徴とする清掃装置。
【請求項３】
請求項１又は２に記載する清掃装置において、
前記量水標の水位の表示面に対して交差する方向に移動自在に前記ガイド部材を支持する支持部材を設けたことを特徴とする清掃装置。
【発明の詳細な説明】
【技術分野】
【０００１】
本発明は清掃装置に関し、特に、ダムや河川等に設置されて水位を計測する量水標を清掃する場合に適用して有用なものである。
【背景技術】
【０００２】
従来、ダムや河川では量水標を設置したり、橋脚の壁面に目盛りを描画して、水位の計測を行っている。一方、ダムの貯水，河川の水流や風雨などの気象条件により、量水標の表面や橋脚の壁面には藻や泥が付着して次第に視認性が低下するため、定期的に量水標等を清掃する必要が生じている。
【０００３】
この清掃の際には、作業員が舟を用いて量水標に接近したり、ダムの堤上から命綱等を使用して量水標に接近し、清掃具でこれらの泥等を除去している。このように量水標への接近その他準備を含めた清掃作業には一定の時間を要し、作業員の負担を増大させる問題がある。更に作業員が舟や命綱を使用する場合、転落等の事故を完全に防止する観点から極力そのようなリスクを伴う清掃作業を回避することが望まれる。
【０００４】
かかる問題を解決する手段として、水位を計測する目盛りを付したスケールと、ダム等の壁面に設置されてスケールを上方に引き抜き可能に支持する帯板柱とから構成される量水標がある（特許文献１参照）。これにより、上方からスケールの引抜き、スケール表面の泥等の除去、及び帯板柱へのスケールの再設置という一連の清掃作業により、清掃作業に要する時間を短縮することが可能となっている。また、命綱を用いるようなこともなく、リスクを回避することで作業員の安全を確保している。
【０００５】
しかしながら、かかる量水標によってリスクを回避し作業時間を短縮できるものの、結局作業員がスケールの清掃作業を人手で行うため、清掃作業の負担を十分に軽減するものではなかった。
【０００６】
【特許文献１】実開平５−８４８３０号公報
【発明の開示】
【発明が解決しようとする課題】
【０００７】
本発明は、かかる事情に鑑み、量水標の清掃に掛かる負担を軽減する清掃装置を提供することを目的とする。
【課題を解決するための手段】
【０００８】
上記目的を達成するための本発明の第１の態様は、
水位を計測する量水標の水位表示方向にガイド部材を延設し、前記量水標の表示面に当接する清掃具本体を前記ガイド部材を介して上下方向移動自在に設け、前記清掃具本体を上下方向に移動させる移動手段を設けたことを特徴とする清掃装置にある。
【０００９】
かかる第１の態様では、清掃具本体が量水標の水位の表示面に当接しつつ上下方向に移動することで量水標の水位の表示面を清掃することができる。この結果、量水標をその設置場所から取り外して清掃したり、舟や命綱等を使用して表示面を清掃することが不要となるため、作業員の清掃作業に掛かる負担を十分に軽減することができる。
【００１０】
本発明の第２の態様は、第１の態様に記載する清掃装置において、
前記移動手段は、前記清掃具本体に取り付けられ、当該清掃具本体に浮力を与えて水位に応じて当該清掃具本体と共に上下に移動する浮きであることを特徴とする清掃装置にある。
【００１１】
かかる第２の態様では、清掃具本体を上下方向に移動させる動力として浮きの浮力を用いる。この浮きを清掃具本体に取り付けて清掃具本体に浮力を与え、浮きが水位に応じて清掃具本体と共に上下移動することにより、清掃具本体を上下方向に移動させる。これにより人力やモータ等の特別な動力源が不要となり、作業員の労力を削減し、またモータ等の設置に掛かる経済的な負担を軽減できる。
【００１２】
本発明の第３の態様は、第１又は２の態様に記載する清掃装置において、
前記量水標の水位の表示面に対して交差する方向に移動自在に前記ガイド部材を支持する支持部材を設けたことを特徴とする清掃装置にある。
【００１３】
かかる第３の態様では、ガイド部材が量水標の表示面に対して交差する方向に移動自在に支持されるため、ガイド部材に取り付けられた清掃具本体と量水標の水位の表示面との間隔を調節することができる。これにより、清掃具本体の量水標の水位の表地面への接触圧を調節することが可能となり、量水標の表面の汚れをより確実に除去することができる。
【発明の効果】
【００１４】
本発明によれば、量水標の清掃に掛かる負担を軽減することができる。特に、清掃具本体を移動させる動力として浮きによる浮力を用いることで、人力やモータ等の特別な動力を用いることが不要となり、経済面や労力面での負担をより軽減する効果を奏する。
【発明を実施するための最良の形態】
【００１５】
以下、本発明を実施するための最良の形態について説明する。なお、本実施形態の説明は例示であり、本発明は以下の説明に限定されない。
【００１６】
〈実施形態１〉
図１は、本発明の実施の形態に係る清掃装置をダムの壁面に配設された量水標に取付けた正面図である。図２は、本発明の実施の形態に係る清掃装置の斜視図である。図３は、本発明の実施の形態に係る清掃装置の側面図である。
【００１７】
図１乃至図３に示すように、山間部等に堤体２を設けて形成されたダムの壁面３に、水位４を計測するための目盛りを付した量水標５が配設されている。量水標５にはダムの底部からの水位４を示す目盛りが所定の間隔で付されており、実際の水面がこの目盛りのどの位置に達しているかを目視することで、ダムの水位を計測することができる。
【００１８】
また、量水標５の下方に第２の取付板７が壁面３に配設され、上方に第１の取付板６が同様に壁面３に配設されており、第２の取付板７の表面７ａと第１の取付板６の表面６ａとが平行に互いに向き合うよう配設されている。
【００１９】
清掃装置１は、量水標５の水位表示方向にガイド部材の一例である第１の索条８及び第２の索条９が延設され、量水標５の表示面に当接する清掃具本体１０を第１の索条８及び第２の索条９に沿って上下方向移動自在に設け、清掃具本体１０に取付けられ、清掃具本体１０に浮力を与えて水位に応じて清掃具本体１０と共に上下移動する第１の浮き１１及び第２の浮き１２が設けられている。
【００２０】
第１の索条８及び第２の索条９が、第１の取付板６と第２の取付板７との間に亘り延設されている。清掃具本体１０は、その両端が第１の索条８及び第２の索条９に係止されて量水標５の表示面方向に押圧されており、且つ各索条８，９に沿って上下方向移動自在にとなっている。すなわち、量水標５の表示面に当接しつつ、上下方向に移動することが可能となっている。
【００２１】
更に、移動手段である第１の浮き１１及び第２の浮き１２が清掃具本体１０に取り付けられていることにより、各浮き１１，１２の浮力が清掃具本体１０に伝達する構成となっている。したがって、各浮き１１，１２が水位に応じて上下方向に移動することにより、清掃具本体１０は各浮き１１，１２と共に、量水標５の表示面に当接した状態で上下方向に移動する。このような清掃具本体１０の上下方向の移動により、量水標５の表示面を清掃することが可能となる。
【００２２】
なお、清掃装置１は、この量水標５の水位の表示面を清掃するよう配設されているが、清掃の対象は量水標５に限定されず、水位を測定する目盛りが直接描画された壁面３又は橋脚の壁面を清掃の対象としてもよい。
【００２３】
以下、清掃装置１の構成について詳細に説明する。
【００２４】
第２の取付板７は、量水標５の下方の壁面３に取り付けられて、第１の索条８及び第２の索条９の下端部を支持するために用いられる。同様に、第１の取付板６は、量水標５の上方の壁面３に取り付けられて、第１の索条８及び第２の索条９の上端部を支持するために用いられる。
【００２５】
ガイド部材である第１の索条８及び第２の索条９はこれらの第１の取付板６と第２の取付板７との間に亘り設けられており、更に各索条８，９は各取付板６，７に設けられたスライド機構により量水標５の水位の表示面に対してスライドするよう支持されている。この結果、各索条８，９と量水標５との間隔は任意に調節できるようになっている。このスライド機構についての詳細な説明は後述する。
【００２６】
なお、ガイド部材は第１の索条８及び第２の索条９のような構成の索条に限定されず、例えば、量水標５の幅方向の両側又は片側の上下方向に亘ってガイドレールを設け、清掃具本体１０がこのガイドレールに沿って上下移動するよう構成してもよい。
【００２７】
次に、清掃具本体１０を上下方向に移動させる移動手段の構成について詳細に説明する。
【００２８】
第１の索条８には、中央部を環状に形成した第１の接続部材１５が取り付けられており、第１の索条８がその環状部１５ａを挿通している。同様に、第２の索条９には、中央部を環状に形成した第２の接続部材１６が取り付けられており、第２の索条９がその環状部１６ａを挿通している。
【００２９】
これらの第１の接続部材１５と第２の接続部材１６の各の一端には清掃具本体１０が接続されており、清掃具本体１０は各接続部材１５，１６を介して各索条８，９に沿って上下方向に移動自在になっている。
【００３０】
一方、第１の接続部材１５及び第２の接続部材１６の各の他端には第１の浮き１１及び第２の浮き１２がそれぞれ接続されている。更に、連結部材１７の両端が各浮き１１，１２に接続されている。
【００３１】
かかる構成により、第１の浮き１１及び第２の浮き１２の浮力が、第１の接続部材１５及び第２の接続部材１６を介して清掃具本体１０に伝わることにより、清掃具本体１０はこれらの浮き１１，１２の上下移動と共に上下方向に移動することができる。
【００３２】
以上に説明したように、各索条８，９に取り付けられた清掃具本体１０が量水標５の表示面に当接しつつ各浮き１１，１２に連動して上下移動することで、量水標５の表示面を清掃することができる。また、各接続部材１５，１６の環状部分とこの環状部分に挿通した索条との間に遊びを持たせた場合、清掃具本体１０は波浪や水流等により水平方向に往復運動することができる。これにより、清掃具本体１０は各浮き１１，１２による上下移動と相俟って往復運動することにより、より高い洗浄力を発揮する。
【００３３】
なお、これらの浮き１１，１２には、塩化ビニールを主たる材料とする管状の容器に発泡スチロールを充填したものを好適に用いることができる。また、清掃具本体１０には、ブラシを好適に用いることができるが、これに限定されず、例えばブレード状のゴムを用いてもよい。
【００３４】
更に、移動手段は浮きに限定されず、例えばワイヤの両端を清掃具本体１０の上部及び下部の各に接続すると共に、各取付板６，７に設けた滑車に当該ワイヤを取り付け、この滑車を回転操作することにより、清掃具本体１０を上下方向移動自在に構成してもよい。
【００３５】
ここで、第１の取付板６及び第２の取付板７に設けられたスライド機構について詳細に説明する。
【００３６】
具体的には、第１の取付板６の表面６ａにレール溝１３ａとレール溝１３ｂとを量水標５に交差する方向に形成し、各レール溝１３ａ，１３ｂに支持具１４ａとレール１４ｂとをそれぞれスライド自在に設ける。同様に、第２の取付板７の表面７ａにレール溝１３ｃとレール溝１３ｄとを量水標５に交差する方向に形成し、各レール溝１３ａ，１３ｂに支持具１４ｃとレール１４ｄとをそれぞれスライド自在に設ける。
【００３７】
一方、各支持具１４ａ，１４ｂ，１４ｃ，１４ｄの上部は環状に形成されており、各索条８，９をこの環状部分に挿通させて巻きつけることにより、索条を支持する。また、各支持具１４ａ，１４ｂ，１４ｃ，１４ｄをレール溝の任意の位置に固定できるよう構成されている（図示せず）。
【００３８】
なお、任意の位置に固定するために、例えばレール溝の開口縁の幅よりも大きいナットをレール溝に埋め込み、支持具に設けられたネジ部とナットが開口縁を挟むよう螺合することで任意の位置に固定できるよう形成した支持具を用いてもよい。
【００３９】
かかるスライド機構により、各索条８，９に取り付けられた清掃具本体１０と量水標５の表示面との間隔を調節することができる。これにより、量水標５の表示面に対する清掃具本体１０の接触圧を調節することが可能となり、量水標５の表示面の汚れをより確実に除去することができる。
【００４０】
なお、レール溝を設けず直接的に各索条８，９を取付板に固定させてもよい。例えば下側の第２の取付板７が殆ど水位４の下にあるような場合は、第２の取付板７に索条を直接的に固定するよう形成し、量水標５と清掃具本体１０との間隔を調整する際には、第１の取付板６の支持具１４ａ，１４ｂの固定位置を調節する。
【００４１】
以上に説明したように、清掃具本体１０を各索条８，９に取付けることにより、清掃具本体１０を量水標５の表面に当接させることが可能となり、この当接した状態で各浮き１１，１２により清掃具本体１０を上下方向に移動させることで、清掃具本体１０は量水標５の水位の表示面に摺接して上下移動することが可能となる。これにより量水標５の表示面は清掃具本体１０により清掃される。
【００４２】
特に水位に応じて上下移動する各浮き１１，１２を移動手段として用いることで、清掃具本体１０を移動させるための特別な動力が不要となる。またダムのように水位の変動をある程度期待できる場所に量水標５と清掃装置１とが設置される場合は、清掃具本体１０が頻繁に上下運動するため、量水標５の表示面の視認性を良好に保つことが可能となる。
【産業上の利用可能性】
【００４３】
本発明は、ダムや河川等で水位を計測する量水標等の清掃装置を製造販売する産業で利用することができる。
【図面の簡単な説明】
【００４４】
【図１】本発明の実施の形態に係る清掃装置をダムの壁面に配設された量水標に取付けた正面図である。
【図２】本発明の実施の形態に係る清掃装置の斜視図である。
【図３】本発明の実施の形態に係る清掃装置の側面図である。
【符号の説明】
【００４５】
１  清掃装置
２  堤体
３  壁面
４  水位
５  量水標
６  第１の取付板
７  第２の取付板
８  第１の索条
９  第２の索条
１０  清掃具本体
１１  第１の浮き
１２  第２の浮き
１３ａ，１３ｂ，１３ｃ，１３ｄ  レール溝
１４ａ，１４ｂ，１４ｃ，１４ｄ  支持具
１５  第１の接続部材
１６  第２の接続部材
１７  連結部材
【図１】
2008000694.tif 000003
【図２】
2008000694.tif 000004
【図３】
2008000694.tif 000005